(57)【要約】本発明は、外部電磁妨害の存在下での超高感度生体磁気計測の分野に関するものである。この妨害の受動的補償を行うために、磁力計の入力における装置の設計を提案し、この装置は、補償素子、及びそれらを移動する手段を具え、この手段は、移動部、保持部、及び固定部を含む。基本的実施形態では、短く閉じた素線の輪郭を使用し、これらの輪郭は、空間内に直交して配置され、磁力計またはそのアンテナに対して、互いに独立して上下に移動する。輪郭は、所定の場の射影に応じた外部妨害振幅の最小値が達成される位置に固定する。計測器及び／または輪郭の冷却、クライオスタット内の輪郭の配置、及び超伝導体からのこれらの輪郭の製造を行う変形例を提案する。
2015511143.tif 000002
【特許請求の範囲】
【請求項１】
高レベルの外部電磁妨害における生体磁気の測定中に電磁妨害を補償する装置であって、
生体磁気信号の測定装置と、
前記電磁妨害を補償する手段とを具え、
前記測定装置は、前記信号の１つ以上の成分を登録することを目的とし、前記成分は、磁界ベクトル及び／または当該磁界ベクトルの１次またはより高次の空間的勾配の、少なくとも１つの射影を含む装置において、
この装置が、少なくとも１つの補償素子、及びこの補償素子を移動する手段を含み、
前記補償素子が、任意形状の短絡した輪郭として機能し、高い導電率を有する材料（銅、アルミニウム、等）で製造され、
前記補償素子は、前記測定装置と誘導結合のみを行い、流電結合はしないように製造され、
前記補償素子は、空間内で前記測定装置の周りに、磁界または傾斜磁場の各射影が少なくとも１つの前記補償素子に対応するように配置され、
前記補償素子を移動する手段は、前記補償素子を変位させる手段、前記補償素子を保持する手段、及び前記補償素子を固定する手段を含み、
前記補償素子を移動する手段は、前記生体磁気信号の測定装置における妨害状態の変化に対して、前記補償素子の反復的な変位及び固定を行うことができ、
前記変位させる手段、前記保持する手段、及び前記固定する手段は、個別の前記補償素子を独立して移動するように実現され、
前記固定する手段は、前記生体磁気信号の測定装置の入力における電磁妨害の振幅が最小になる位置に前記補償素子を固定するように機能する
ことを特徴とする装置。
【請求項２】
前記生体磁気信号の測定装置が、例えば極低温液体または他の手段を用いて冷却され、
前記測定装置がクーラー内に配置され、
前記補償素子、及び前記移動する手段が、前記クーラー外、例えばクライオスタットまたは他の手段の外部に配置されている
ことを特徴とする請求項１に記載の装置。
【請求項３】
少なくとも１つの前記補償素子が、前記生体磁気信号の測定装置の前記クーラー内、例えばクライオスタットまたは他の手段の内部に配置されていることを特徴とする請求項１または２に記載の装置。
【請求項４】
前記補償素子の少なくとも１つが超電導体製であることを特徴とする請求項１〜３のいずれかに記載の装置。
【発明の詳細な説明】
【技術分野】
【０００１】
本発明は、外部妨害に対する高感度測定装置の保護の技術分野に関するものであり、無シールド（無遮蔽）を前提として動作する心磁計の複合体のようなシステムの電磁ノイズに対する保護に用いることができる
【背景技術】
【０００２】
生体磁気システムにおけるセンサとして、磁力計または磁気抵抗センサを光学的にポンピングする超電導量子干渉検出器（ＳＱＵＩＤ：superconductive quantum interference detector）のような高感度の磁力計が使用されている。これらの磁力計は、ピコ〜フェムトテスラの範囲の高い磁界分解能を特徴とする。同時に、生体の（例えば、人間の心臓の）有用な磁気信号スペクトルは、低周波数範囲0.1〜100Hzに集中している。産業ノイズ（無線局、移動通信、静電気放電、及び他の電磁界及び電磁波発生源）の存在が、これらの測定機器の動作安定性を妨げ得る。磁力計の通常性能がまだ生かされる妨害レベルは、一般に0.1nTを超えないべきである。
【０００３】
高レベルの都市の産業ノイズによって、磁気妨害に対する測定区域の追加的な受動的及び能動的保護の適用が必要になる。付け加えれば、人間の心臓の磁界（ＭＦ：magnetic field）のような生体磁場の最大誘導値は50pTを超えず、従って、これほど弱い信号の信頼性のある登録及び認識のためには、測定領域内で妨害の外部ＭＦを数桁低減するために特別なハードウェア及びソフトウェアツールを使用すべきである。この際に、患者は自然磁界の背景内、即ち地球のＭＦ中に存在し、この磁界はおよそ50μTに等しい。
【０００４】
磁気妨害に対して、次の保護方法が知られている：
【０００５】
１）磁気シールド室（ＭＳＲ：magnetically shielded room）。今日まで、生体磁気システムの効率を保証するために、受動的な電磁スクリーンがシールド室の形態で広く用いられ、これは、測定機器自体のコストに比べて数倍高いコストとなり得る。生体磁気測定のためにＭＳＲを使用する必要性は、米国特許第５１５２２８８号（特許文献１）[A61B 5/04, A61B 5/05, G01R33/00, G01R33/035, Apparatus and method for measuring week, location-dependent and time-dependent magnetic fields, Hoening E., Reichenberger H., Schneider S., 1992]に基づく。しかし、ＭＳＲは高価で技術的に複雑な製品であり、従って、主要な研究センターのみがこれを使用する経済的余裕があった。
【０００６】
これに加えて、測定領域に十分近く、測定領域内に不均一なＭＦを生成する発生源の場合、磁気妨害の度合いを弱めるだけでは不十分である。この種の磁気妨害を低減するために、能動的ノイズ低減の原理に基づくいくつかの技術的な解決策が開発されており、この解決策は、例えば米国特許第５８４４９９６号（特許文献２）[A61F 011/06, D. Enzmann, M. F. Anthony他 Active electronic noise suppression system and method for reducing snoring noise, 1998年]のように、他の工業技術分野では広く用いられている
【０００７】
２）誘導コイルによる能動的ノイズ補償。この方法は、負帰還（ＮＦＢ：negative feedback）を用いる思想に基づく：基準センサによって測定した磁気妨害を用いて、この妨害の振幅に等しい振幅を有するが逆向きのＭＦを発生する。このＭＦをさらに、測定信号のノイズ成分の減算（補償）に用いる。
【０００８】
例えば、生体磁気測定中に、増幅後の妨害信号を電流として誘導コイルの系に伝送して、磁気妨害の磁界とは逆向きのＭＦを測定区域内に生成する。このコイル系の寸法は、系内部のＭＦの均一性の度合い、及び生体の大きさによって決まる。こうした補償システムの思想は、次の特許文献に詳細に記載されている：
ａ）米国特許第３３１１８２１号（特許文献３）, G01C 17/38; G01R 33/025; G01C 17/00; G01R 33/025, J.J.A. Brunel, Apparatus for automatically compensating the output of a magnetic field sensing device for the effects of interfering magnetic fields, 1967年3月28日、
ｂ）米国特許第５１２２７４４号（特許文献４）, G01R 33/022; G01R 33/025, Koch, Roger H. (Amawalk NY); Gradiometer having a magnetometer which cancels background magnetic field from other magnetometers, 1990年10月9日。
【０００９】
３）電子的ノイズ抑制システム。生体磁気測定システムにおいて、既知の解決策のうちで最も広く用いられているものは、いわゆる電子ノイズ抑制システム（ＥＮＳＳ：electronic noise suppression system）がある[例えば、A.N. Matlashov他“in Advances in Biomagnetism”編集者S.J. Williamson, M. Hoke, G. Stroink, and M. Kotani, Plenum Press, New Yorkand London, 725〜728ページ, 1989年を参照]。
【００１０】
ＥＮＳＳは、相当低い感度を有するいくつかの磁力計（基準チャネル）を、別個の電子回路と共に含み、これらはグラジオメーター（信号）チャネルの間に配置されている。基準チャネルは、信号チャネルにおける感度よりも低い感度を有する磁力計を用いる。一般に、基準チャネルは、妨害のＭＦを直交する３つの射影で記録し、基準ベクトル磁力計（ＲＶＭ）：reference vector magnetometerを形成する。ＲＶＭの出力信号は反転され、スケーリング（拡大縮小）され、そして信号チャネルの出力と混合される。例えば、ＲＶＭ出力における妨害のＸ信号が信号チャネルの出力における妨害Ｘ信号より高い（低い）場合、ＲＶＭ信号を増幅して（減衰させて）、信号チャネルの出力における信号から減算する。
【００１１】
この関係では、根拠の明確な類似特許が存在し、米国特許第５１１３１３６号（特許文献５）[Gradiometer apparatus with compensation coils for measuring magnetic fields, G01R 33/022, G01R 33/025, G01R 33/035, H. Hayashi, Yu. Igarashi, T. Hayashi他, 1992年, Fujitsu Ltd.]として知られている。この発明は、ＥＮＳＳシステムの１７通りの実現を開示し、磁気測定法において可能な解決策の事実上すべてをカバーしている。これらの解決策では、計測装置がＲＶＭ及び多チャンネルの磁力計を含み、ＭＶＲは妨害のＭＦを記録するために使用され、これらの妨害はその後に、信号チャネルの出力において、あるいはＮＦＢループを用いて信号チャネルの入力において、ＭＶＲからの信号を減算される。こうして、本特許の請求項１６〜１９によって保護される３つのＥＮＳＳの選択肢のうち２つが、信号チャンネルの入力においてＳＱＵＩＤ磁力計による補償を実現する。
【００１２】
特許文献５による装置の利点は、人体からのＭＦの生体磁気測定だけを意図していることにある。なお、欠点として、ＭＶＲはＳＱＵＩＤ磁力計も使用し、このことはコストを増加させ、生体磁気測定装置を複雑にする。
【００１３】
従って、近年提案されている、米国特許第７０９１７１７号（特許文献６）[SQUID sensor using auxiliary sensor, G01R 33/25, G01R 33/35, Seung Min Lee, Heon Joo Lee, Byung Du Oh, 2006年, LG Electronics Inc.]によるＥＮＳＳシステムの選択肢は、基準磁力計、信号ＳＱＵＩＤチャネルの入力におけるＮＦＢ及び補償を用いる。この解決策の利点は、信号チャネルにおいて、高温超電導体、即ち窒素冷却レベルのＳＱＵＩＤを用いることができることにある。欠点はすべての能動型補償システムに共通し、基準磁力計及びＮＦＢを必要とすることである。
【００１４】
しかし、この解決策の主たる利点は、基準磁力計をＳＱＵＩＤなしに、即ち、非超電導で、さらには冷却なしに実現できることにある。この変化の意味は、強い磁気妨害レベルにおいて高い分解能を必要としないことにある。このことは、能動型補償システムをずっと安価で簡略にし、従って、特許文献６において提供されるＥＮＳＳシステムは原型として選定されている。
【００１５】
原型の思想を発展させれば、信号チャネルをＳＱＵＩＤ磁力計なしに実現することができるであろうか。現在の技術レベルは、こうした計測装置が光ポンピングを有する磁力計に基づくことを証明し、例えば米国特許第７６５６１５４号[Magnetic field measurement system and optical pumping magnetometer, G01R 33/035, G01V 3/00, G01R 33/02, E. Kawabata, A. Kandori, 2010年, Hitachi-Tech Corp.]を参照されたい。しかし、誘導ヘルムホルツコイルによる能動型補償は他の欠点でもあり、基準磁力計を必要とし、冷却または超電導を必要としない選択した原型と同様である。
【００１６】
従って、能動型ノイズ補償システムは、次の要因によって生じるいくつかの重大な欠点を有する：
１）外部妨害が有用な信号を大きく超えることがあり、このことは、電子フィードバック・チェーンのダイナミックレンジに対して高い要求を課し、それらの機能を制限し得る；
２）外部妨害が相当高い周波数のものとなり得る。この場合、補償効率が電子フィードバック補償器の性能レートに依存する；
３）こうした補償システムは、追加的な電子回路を電源及び制御回路と共に含み、生体磁気信号用の計測装置の総コストの増加、及びその調整の複雑さの増加をもたらす。
【先行技術文献】
【特許文献】
【００１７】
【特許文献１】米国特許第５１５２２８８号明細書
【特許文献２】米国特許第５８４４９９６号明細書
【特許文献３】米国特許第３３１１８２１号明細書
【特許文献４】米国特許第５１２２７４４号明細書
【特許文献５】米国特許第５１１３１３６号明細書
【特許文献６】米国特許第７０９１７１７号明細書
【特許文献７】米国特許第７６５６１５４号明細書
【非特許文献】
【００１８】
【非特許文献１】A.N. Matlashov他“in Advances in Biomagnetism”編集者S.J. Williamson, M. Hoke, G. Stroink, and M. Kotani, Plenum Press, New Yorkand London, 725〜728ページ, 1989年
【発明の概要】
【課題を解決するための手段】
【００１９】
提案する技術的解決策の本質は次の通りである：基準磁力計を用いて、妨害ＭＦを直交する３つの方向Ｘ、Ｙ、Ｚで登録する代わりに、提案する装置は、（超伝導体を含む）導電材料の少なくとも３つのリングを使用し、これらのリングも直交し、生体磁気計測装置のアンテナに近接している。
【００２０】
提案する発明の新規性は、次の比較的単純な技術的解決策を用いた、原型装置に特有の欠点及び制限の解消にある：
１）能動型電子フィードバック回路を含まない、磁気妨害の補償用の装置を提供する；
２）提案する装置は、性能レート及びダイナミックレンジに対する成約がない。
【００２１】
本発明は、高レベルの外部電磁妨害、かつ磁気シールド及び／または電磁シールド、あるいは能動型ノイズ補償の欠如において、生体磁気信号の測定における電磁妨害の受動的補償用装置の設計を、その簡略化及び低廉化のため、極低温まで冷却する装置を必要としない電磁妨害の調整型補償の実現のため、並びに、超電導ＳＱＵＩＤ磁力計に代わる他の種類の生体磁気計測装置を使用するために改良する作業に基づくものである。
【００２２】
与えられた目標は次のことによって達成される：
少なくとも１つの補償素子、及びこの補償要素の再配置手段を有する装置の実現；
任意形状の短絡した輪郭の形態での、補償素子の実現；
高い導電率を有する材料（銅、アルミニウム、等）からの補償素子の製造；
計測装置と流電結合はしないが、誘導結合のみを行うような補償素子の製造；
磁界または傾斜磁場の各射影が少なくとも１つの素子に対応するような補償素子の配置；
補償素子の締結、変位、及び固定における再配置手段の実現；
計測装置の場所におけるノイズ状態の変化に対して補償素子を反復的に変位させて固定するための再配置手段の実現；
個別の補償素子を独立して移動するための再配置手段の実現；
計測装置の入力におけるノイズ振幅が最小になる位置に補償素子を保持するための固定手段の実現；
例えば極低温液体または他の何らかの手段を用いた計測装置の冷却、計測装置をクーラー内に配置すること、及びクライオスタット（低温保持装置）または他の機器のようなクーラー外への補償素子の配置；
少なくとも１つの補償素子の、計測装置のクーラー内、例えばクライオスタットまたは他の機器内への配置；
超電導材料からの少なくとも１つの補償素子の製造。
【００２３】
技術的な結果は、提案する装置の設計に当たり、少数の受動素子が、この装置の：
１）高い効率；
２）安価であること；
３）位置合わせの簡易性；
４）磁気抵抗センサまたは他のセンサに基づく、光ポンピングを有するＳＱＵＩＤ磁力計、磁力計のような異なる種類の生体磁気測定装置への適用性；
をもたらす。
【図面の簡単な説明】
【００２４】
【図１】電磁妨害を弱めるための補償リング及び生体磁力計装置の相互配置を示す図であり：１、２、及び３は、それぞれＺ、Ｘ、及びＹ軸に沿った妨害低減用のリングであり、４は補償リングを変位させる手段であり、５は測定装置である。
【図２】補償リング及び冷却した計測装置の配置を示す図であり：１〜３及び５は図１と同様であり、６は極低温液体であり、７は透磁性のクライオスタットである
【図３】冷却した補償素子及び生体磁気信号の極低温測定装置の配置を示す図であり、１〜３及び５〜７は図２と同様であり、８は超電導アンテナである。
【発明を実施するための形態】
【００２５】
受動補償の原理は次の通りである：電磁誘導の現象による電磁妨害または変動磁気妨害が、補償素子内に渦電流を発生する。これらの電流が、この素子の周りにＭＦを、妨害ＭＦの向きと逆の向きに発生する。補償ＭＦは、全３個の素子のＭＦのベクトル和であり、計測入力に入り、そこで妨害のＭＦと加算される。全補償ＭＰベクトルの振幅及び向きは、計測装置に対する補償素子の位置に応じて変化する。
【００２６】
３つの短絡リングと生体磁界用の測定装置との相対位置の概略を、本発明の原理を例示する図１に示す。補償リング１〜３は、互いに直交する３つの平面内に配置され、このことは、磁気妨害をその向きとは無関係に補償することを可能にする。すべてのリングが計測装置５の付近に直接配置されて、誘導ＭＦを、計測装置内またはそのセンサ内、あるいは入力アンテナがあれば入力アンテナ内で、弱めることなしに貫通させる。
【００２７】
補償手順の基本的実現では、有効な信号がない場合に、素子が交互に上下に変位して、計測器出力上の妨害のレベルを制御する。３つの素子の各々の特定位置で、補償磁界は、妨害のＭＦと振幅がおよそ等しく向きが逆になる。その結果、測定装置の入力における妨害ＭＦの振幅、及びその出力における信号振幅が最小になる。
【００２８】
基本的実現によれば、装置は、計測装置に対する各補償リングの独立した移動のための別個のメカニズム４（図１参照）も含む。このメカニズムは、締結素子、上下の変位素子、及び計測入力における妨害の最小のＭＦ振幅を与える位置に補償リングを固定するための素子から成る。このメカニズムの各部分が、測定領域内のノイズ状態の変化に応じた頻度でリングの調整及び固定を行う。
【００２９】
装置の他の実現（図２参照）では、装置が、高感度の極低温計測器５の入力における妨害ＭＦを補償するために使用され、この極低温計測器は、それ自体のノイズを低減するために冷却されている。このことを行うために、計測器はクライオスタット７内に配置され、クライオスタット７は、液体ヘリウムまたは液体窒素のような極低温の液体６で満たされている。生体磁気測定装置用のクライオスタット７は、低周波のＭＦに対して透過性−透磁性に作製され、従って、非磁性のグラスファイバー（繊維ガラス）のような誘電体で製造されている。
【００３０】
この際に、補償リング１〜３は、クライオスタットの表面に固定されるか、この表面に近接して、これらのリングの温度が周囲温度、即ち室温に等しくなることを補償する。本発明によれば、すべての補償リングが計測アンテナと磁気結合のみを行って、ＭＦが誘導電流の影響下で計測装置に入ると、妨害ＭＦを補償する。
【００３１】
さらに他の実現では、補償リング１〜３の少なくとも１つが計測器のクーラー内に配置されるように装置が実現され、このクーラーは、上記補償リングの温度を計測器または冷媒の温度に近くする。図３は、極低温計測器、例えばＳＱＵＩＤ磁力計５を有する変形版を表し、すべてのリング１〜３が入力計測器アンテナ８の付近にあるクライオスタット内に配置されている。この選択肢の利点は、冷却によるリングの抵抗の減少によりリング内の電流を増加させ、計測器アンテナとの距離を低減することによって補償ＭＦの振幅を増加させることの可能性にある。欠点は、クライオスタット内でリングの移動及び固定を実現することがずっと困難なことである。
【００３２】
さらに他の実現では、少なくとも１つの補償素子が超電導材料で製造される。従って、クライオスタット内の温度が超電導体の超電導状態への遷移温度より低ければ、リングの抵抗は０まで減少し得る。この選択肢の利点は、周波数の増加に伴う誘導電流の減衰がないことであり、このことは広い周波数範囲での補償を可能にする。この実現の限界は、この実現が、クライオスタット内に配置された極低温計測装置のみについて意味をなすことにある。
【００３３】
他の実現では、傾斜磁場の特定の空間的成分に整合するように空間内に配置された少なくとも１つの追加的な補償要素を用いる。追加的な要素の数は、計測装置によって登録されたこれらの成分の数、あるいは補償すべき妨害の勾配成分の数に依存する。
【００３４】
他の実現では、装置を用いて、多チャネル計測器の入力における妨害ＭＦを補償する。この際に、補償素子の最適位置は、いくつかのチャネルまたは大部分のチャネルにおける妨害ＭＦの最小振幅によって決まるか、すべてのチャネルにおける妨害ＭＦの平均振幅の最小値によって決まるか、あるいは他の方法で決まる。しかし、提案する装置の主な差異は、チャネル毎に別個に製造される他のこうしたシステム、例えばＥＮＳＳシステムとは異なり、補償素子の最適位置がすべてのチャネルに共通することである。
【００３５】
装置の他の実現では、補償を他のノイズ低減法、例えばＥＮＳＳ、電磁シールド、あるいは他の何らかの手段と組み合わせる。このことは特に計測装置が高感度の磁力計である際に関係し、こうした高感度の磁力計は、ＭＦの高い分解能を有するが、同時に、妨害保護が低度であり、特に、高レベルの産業ノイズの存在下では無シールドの領域を有する。この場合、提案したばかりの受動的補償は不十分であり、他の上述した方法と組み合わせるべきである。
【００３６】
提案する装置は、産業上成熟した材料（銅、ニオブ、または他の金属線、カプロロン（kaprplon）、テクストライト（textolite）、種々の繊維強化プラスチック）で作製され、標準的な技術プロセスに基づくので、産業に応用可能であり、容易に製造することができる。その応用分野は、超高感度の生体磁気計測であり、心磁図、感受性測定または他の分枝、科学的な生物医学研究、低温物理学及び低温技術を含む。
【００３７】
以上に挙げた本発明の装置の実施形態は、例示目的で詳述したものに過ぎない。実際に、超高感度生体磁気計測及び／または極低温技術の経験豊富な者は、提案する装置の設計に変更及び修正を加えることができることは明らかである。しかし、これらの修正及び変更を、提案する発明の本質及び特許請求の範囲から大幅に逸脱することなしに行えば、これらの修正及び変更は本特許に該当する。
【図１】
2015511143.tif 000003
【図２】
2015511143.tif 000004
【図３】
2015511143.tif 000005
【手続補正書】
【提出日】平成26年10月3日(2014.10.3)
【手続補正１】
【補正対象書類名】明細書
【補正対象項目名】００１１
【補正方法】変更
【補正の内容】
【００１１】
この関係では、根拠の明確な類似特許が存在し、米国特許第５１１３１３６号（特許文献５）[Gradiometer apparatus with compensation coils for measuring magnetic fields, G01R 33/022, G01R 33/025, G01R 33/035, H. Hayashi, Yu. Igarashi, T. Hayashi他, 1992年, Fujitsu Ltd.]として知られている。この発明は、ＥＮＳＳシステムの１７通りの実現を開示し、磁気測定法において可能な解決策の事実上すべてをカバーしている。これらの解決策では、計測装置がＲＶＭ及び多チャンネルの磁力計を含み、ＲＶＭは妨害のＭＦを記録するために使用され、これらの妨害はその後に、信号チャネルの出力において、あるいはＮＦＢループを用いて信号チャネルの入力において、ＲＶＭからの信号を減算される。こうして、本特許の請求項１６〜１９によって保護される３つのＥＮＳＳの選択肢のうち２つが、信号チャンネルの入力においてＳＱＵＩＤ磁力計による補償を実現する。
【手続補正２】
【補正対象書類名】明細書
【補正対象項目名】００１２
【補正方法】変更
【補正の内容】
【００１２】
特許文献５による装置の利点は、人体からのＭＦの生体磁気測定だけを意図していることにある。なお、欠点として、ＲＶＭはＳＱＵＩＤ磁力計も使用し、このことはコストを増加させ、生体磁気測定装置を複雑にする。
する。
【手続補正３】
【補正対象書類名】明細書
【補正対象項目名】００２５
【補正方法】変更
【補正の内容】
【００２５】
受動補償の原理は次の通りである：電磁誘導の現象による電磁妨害または変動磁気妨害が、補償素子内に渦電流を発生する。これらの電流が、この素子の周りにＭＦを、妨害ＭＦの向きと逆の向きに発生する。補償ＭＦは、全３個の素子のＭＦのベクトル和であり、計測入力に入り、そこで妨害のＭＦと加算される。全補償ＭＦベクトルの振幅及び向きは、計測装置に対する補償素子の位置に応じて変化する。
【国際調査報告】
2015511143.tif 000006